(57)【要約】  本開示は、無線充電方法、送信側、受信側、電源管理モジュール、プログラム及び記録媒体を提供する。前記無線充電方法は、充電器との接続が確立されたことを検出した場合、前記充電器の電圧及び電流の能力情報を取得するステップと、無線充電受信側からの高速無線充電認証情報が受信された場合、前記充電器的電圧及び電流の能力情報に基づいて、前記高速無線充電認証情報に対応する確認情報を決定し、前記無線充電受信側に前記確認情報を送信するステップと、前記確認情報に応答して前記無線充電受信側によって送信された充電請求が受信された場合、前記充電請求に対応する電圧と電流を前記充電器に請求するステップと、を含む。本開示は、無線充電のフローを最適化させ、無線充電の柔軟性を向上させた。【選択図】図２
2019528659.tif 000002
【特許請求の範囲】
【請求項１】
無線充電送信側に応用される無線充電方法であって、
充電器との接続が確立されたことを検出した場合、前記充電器の電圧及び電流の能力情報を取得するステップと、
無線充電受信側からの高速無線充電認証情報が受信された場合、前記充電器の電圧及び電流の能力情報に基づいて、前記高速無線充電認証情報に対応する確認情報を決定するステップと、
前記無線充電受信側に前記確認情報を送信するステップと、
前記無線充電受信側が前記確認情報に応答して送信した充電請求が受信された場合、前記充電請求に対応する電圧と電流を前記充電器に請求するステップと、を含む
ことを特徴とする無線充電方法。
【請求項２】
無線充電受信側からの高速無線充電認証情報が受信された場合、前記充電器の電圧及び電流の能力情報に基づいて、前記高速無線充電認証情報に対応する確認情報を決定するステップは、
無線充電受信側からの高速無線充電認証情報が受信された場合、前記高速無線充電認証情報を復調するステップと、
前記高速無線充電認証情報が正しく復調され、且つ前記充電器の電圧及び電流の能力情報に基づいて前記充電器が高速無線充電条件を満たすことが決定された場合、前記高速無線充電認証情報に対応する確認情報が高速無線充電確認情報であることを決定するステップと、
前記高速無線充電認証情報が正しく復調され、且つ前記充電器の電圧及び電流の能力情報に基づいて前記充電器が高速無線充電条件を満たさないことが決定された場合、前記高速無線充電認証情報に対応する確認情報が普通の無線充電確認情報であることを決定するステップと、を含む
ことを特徴とする請求項１に記載の無線充電方法。
【請求項３】
前記充電器の電圧及び電流の能力情報を取得するステップの後に、
前記充電器に第１の電圧を請求するステップ、をさらに含む
ことを特徴とする請求項１に記載の無線充電方法。
【請求項４】
無線充電受信側に応用される無線充電方法であって、
電源管理モジュールからの高速無線充電認証情報が受信された場合、無線充電送信側に前記高速無線充電認証情報を転送するステップと、
前記無線充電送信側が前記高速無線充電認証情報に応答して送信した確認情報が受信された場合、前記電源管理モジュールに前記確認情報を転送するステップと、
前記電源管理モジュールが前記確認情報に応答して送信した充電請求が受信された場合、前記無線充電送信側に前記充電請求を転送するステップと、を含む
ことを特徴とする無線充電方法。
【請求項５】
前記確認情報が高速無線充電確認情報である場合、前記充電請求は高速無線充電請求であり、
前記確認情報が普通の無線充電確認情報である場合、前記充電請求は普通の無線充電請求である
ことを特徴とする請求項４に記載の無線充電方法。
【請求項６】
前記無線充電送信側との接続が確立されたことを検出した場合、前記電源管理モジューに第１の電圧を出力するステップ、をさらに含む
ことを特徴とする請求項４に記載の無線充電方法。
【請求項７】
電源管理モジュールに応用される無線充電方法であって、
第１の電圧の入力が検出された場合、無線充電受信側に高速無線充電認証情報を送信するステップと、
前記無線充電受信側が前記高速無線充電認証情報に応答して送信した確認情報が受信された場合、前記確認情報に基づいて充電請求を決定するステップと、
前記無線充電受信側に前記充電請求を送信するステップと、
前記充電請求及び充電効率に基づいて、電源管理モジュールの入力電流を設定するステップと、を含む
ことを特徴とする無線充電方法。
【請求項８】
前記無線充電受信側が前記高速無線充電認証情報に応答して送信した確認情報が受信された場合、前記確認情報に基づいて充電請求を決定するステップは、
前記高速無線充電認証情報が送信された後の第１の時間以内に前記無線充電受信側が前記高速無線充電認証情報に応答して送信した確認情報が受信された場合、前記確認情報に基づいて充電請求を決定するステップ、を含む
ことを特徴とする請求項７に記載の無線充電方法。
【請求項９】
前記確認情報に基づいて充電請求を決定するステップは、
前記確認情報が高速無線充電確認情報である場合、前記充電請求が高速無線充電請求であることを決定するステップと、
前記確認情報が普通の無線充電確認情報である場合、前記充電請求が普通の無線充電請求であることを決定するステップと、を含む
ことを特徴とする請求項８に記載の無線充電方法。
【請求項１０】
無線充電受信側に高速無線充電認証情報を送信するステップの後に、
前記高速無線充電認証情報が送信された後の第１の時間以内に前記無線充電受信側が前記高速無線充電認証情報に応答して送信した確認情報が受信されなかった場合に、前記充電請求が普通の無線充電請求であることを決定するステップ、をさらに含む
ことを特徴とする請求項８又は９に記載の無線充電方法。
【請求項１１】
充電器との接続が確立されたことを検出した場合、前記充電器の電圧及び電流の能力情報を取得するための取得モジュールと、
無線充電受信側からの高速無線充電認証情報が受信された場合、前記充電器の電圧及び電流の能力情報を基づいて、前記高速無線充電認証情報に対応する確認情報を決定するための第１の決定モジュールと、
前記無線充電受信側に前記確認情報を送信するための第１の送信モジュールと、
前記確認情報に応答して前記無線充電受信側によって送信された充電請求が受信された場合、前記充電請求に対応する電圧と電流を前記充電器に請求するための第１の請求モジュールと、を備える
ことを特徴とする無線充電送信側。
【請求項１２】
前記第１の決定モジュールは、
無線充電受信側からの高速無線充電認証情報が受信された場合、前記高速無線充電認証情報を復調するための復調サブモジュールと、
前記高速無線充電認証情報が正しく復調され、且つ前記充電器の電圧及び電流の能力情報に基づいて前記充電器が高速無線充電条件を満たすことが決定された場合、前記高速無線充電認証情報に対応する確認情報が高速無線充電確認情報であることを決定するための第１の決定サブモジュールと、
前記高速無線充電認証情報が正しく復調され、且つ前記充電器の電圧及び電流の能力情報に基づいて前記充電器が高速無線充電条件を満たさないことが決定された場合、前記高速無線充電認証情報に対応する確認情報が普通の無線充電確認情報であることを決定するための第２の決定サブモジュールと、を備える
ことを特徴とする請求項１１に記載の無線充電送信側。
【請求項１３】
前記無線充電送信側は、
第１の電圧を前記充電器に請求するための第２の請求モジュール、をさらに備える
ことを特徴とする請求項１１に記載の無線充電送信側。
【請求項１４】
電源管理モジュールからの高速無線充電認証情報が受信された場合、無線充電送信側に前記高速無線充電認証情報を転送するための第１の転送モジュールと、
前記無線充電送信側が前記高速無線充電認証情報に応答して送信した確認情報が受信された場合、前記電源管理モジュールに前記確認情報を転送するための第２の転送モジュールと、
前記電源管理モジュールが前記確認情報に応答して送信した充電請求が受信された場合、前記無線充電送信側に前記充電請求を転送するための第３の転送モジュールと、を備える
ことを特徴とする無線充電受信側。
【請求項１５】
前記確認情報が高速無線充電確認情報である場合、前記充電請求は高速無線充電請求であり、
前記確認情報が普通の無線充電確認情報である場合、前記充電請求は普通の無線充電請求である
ことを特徴とする請求項１４に記載の無線充電受信側。
【請求項１６】
前記無線充電受信側は、
前記無線充電送信側との接続が確立されたことを検出した場合、前記電源管理モジュールに第１の電圧を出力するための出力モジュール、をさらに備える
ことを特徴とする請求項１４に記載の無線充電受信側。
【請求項１７】
第１の電圧入力が検出された場合、無線充電受信側に高速無線充電認証情報を送信するための第２の送信モジュールと、
前記無線充電受信側が前記高速無線充電認証情報に応答して送信した確認情報が受信された場合、前記確認情報に基づいて充電請求を決定するための第２の決定モジュールと、
前記無線充電受信側に前記充電請求を送信するための第３の送信モジュールと、
前記充電請求及び充電効率に基づいて、電源管理モジュールの入力電流を設定するための設定モジュールと、を備える
ことを特徴とする電源管理モジュール。
【請求項１８】
前記第２の決定モジュールは、
前記高速無線充電認証情報が送信された後の第１の時間以内に前記無線充電受信側が前記高速無線充電認証情報に応答して送信した確認情報が受信された場合、前記確認情報に基づいて充電請求を決定するために用いられる
ことを特徴とする請求項１７に記載の電源管理モジュール。
【請求項１９】
前記第２の決定モジュールは、
前記確認情報が高速無線充電確認情報である場合、前記充電請求が高速無線充電請求であることを決定するための第３の決定サブモジュールと、
前記確認情報が普通の無線充電確認情報である場合、前記充電請求が普通の無線充電請求であることを決定するための第４の決定サブモジュールと、を備える
ことを特徴とする請求項１８に記載の電源管理モジュール。
【請求項２０】
前記電源管理モジュールは、
前記高速無線充電認証情報が送信された後の第１の時間以内に前記無線充電受信側が前記高速無線充電認証情報に応答して送信した確認情報が受信されなかった場合に、前記充電請求が普通の無線充電請求であることを決定するための第３の決定モジュール、をさらに備える
ことを特徴とする請求項１８又は１９に記載の電源管理モジュール。
【請求項２１】
プロセッサーと、
プロセッサーで実行可能な指令を記憶するためのメモリを備え、
前記プロセッサーは、
請求項１〜３のいずれか１項に記載の方法を実行するように構成される
ことを特徴とする無線充電送信側。
【請求項２２】
プロセッサーと、
プロセッサーで実行可能な指令を記憶するためのメモリを備え、
前記プロセッサーは、
請求項４〜６のいずれか１項に記載の方法を実行するように構成される
ことを特徴とする無線充電受信側。
【請求項２３】
プロセッサーと、
プロセッサーで実行可能な指令を記憶するためのメモリを備え、
前記プロセッサーは、
請求項７〜１０のいずれか１項に記載の方法を実行するように構成される
ことを特徴とする電源管理モジュール。
【請求項２４】
コンピュータプログラムが記憶されたコンピュータ読み取り可能な記録媒体であって、
前記コンピュータプログラムがプロセッサーによって実行される場合、請求項１〜３のいずれか１項に記載の方法のステップが実行される
ことを特徴とするコンピュータ読み取り可能な記録媒体。
【請求項２５】
コンピュータプログラムが記憶されたコンピュータ読み取り可能な記録媒体であって、
前記コンピュータプログラムがプロセッサーによって実行される場合、請求項４〜６のいずれか１項に記載の方法のステップが実行される
ことを特徴とするコンピュータ読み取り可能な記録媒体。
【請求項２６】
コンピュータプログラムが記憶されたコンピュータ読み取り可能な記録媒体であって、
前記コンピュータプログラムがプロセッサーによって実行される場合、請求項７〜１０のいずれか１項に記載の方法のステップが実行される
ことを特徴とするコンピュータ読み取り可能な記録媒体。
【発明の詳細な説明】
【技術分野】
【０００１】
本開示は、充電技術分野に関し、特に無線充電方法、送信側、受信側及び電源管理モジュールに関する。
【背景技術】
【０００２】
現在、無線充電技術、特にＷＰＣ（ＷｉｒｅｌｅＳＳ  Ｐｏｗｅｒ  ＣｏｎＳｏｒｔｉｕｍ、ワイヤレスパワーコンソーシアム）という無線充電技術はますます多く移動端末に応用されている。例えば、ウェアラブルスマート設備には無線充電技術が既に広く応用され、いくつかのスマートフォンもＷＰＣ無線充電技術を応用して充電を行っている。ＵＳＢ  ＰＤ（ＵｎｉｖｅｒＳａｌ  Ｓｅｒｉａｌ  ＢｕＳ  Ｐｏｗｅｒ  Ｄｅｌｉｖｅｒｙ、ユニバーサルシリアルバス電力伝送）プロトコルは、ＵＳＢ協会が提出したより大きい電力で充電することをサポートするプロトコルである。現在、ＵＳＢ  ＰＤプロトコル及びＴｙｐｅ  Ｃインタフェースもますます移動端末に多く応用され、ＵＳＢ  ＰＤをサポートする充電器の普及も進んでいる。
【０００３】
従来技術において、いくつかの無線充電技術は、ＤＣＰ（Ｄｅｄｉｃａｔｅｄ  Ｃｈａｒｇｅ  Ｐｏｒｔ、専用充電ポート）を備えた充電器をサポートし、無線充電送信側と充電器はＢＣ１．２（Ｂａｔｔｅｒｙ  Ｃｈａｒｇｉｎｇ  Ｓｐｅｃｉｆｉｃａｔｉｏｎ  １．２、バッテリ充電仕様１．２）プロトコルの検出を行う必要があり、入力電圧が５Ｖである。５Ｖで充電を行う場合、充電電力が制限される。その他のいくつかの無線充電技術は、例えば、９Ｖ又は１２Ｖなどの固定入力電圧をサポートする。またいくつかの無線充電技術において無線充電受信側（Ｒｘ）と無線充電送信側は暗号化認証を行い、暗号化認証が成功した後に高速無線充電を行う。しかしながら、現在市販している充電器の多数はいずれも固定電圧または暗号化方法の使用をサポートしていない。
【発明の概要】
【発明が解決しようとする課題】
【０００４】
本開示は、従来技術に存在する問題を解決するために、無線充電方法、送信側、受信側及び電源管理モジュールを提供する。
【課題を解決するための手段】
【０００５】
本開示の第１の態様によれば、無線充電送信側（無線充電送信側は無線充電送信装置であってもよい。以下同様である。）に応用される無線充電方法を提供し、前記方法は、
充電器との接続が確立されたことを検出した場合、前記充電器の電圧及び電流の能力情報を取得するステップと、
無線充電受信側（無線充電受信側は無線充電受信装置であってもよい。以下同様である。）からの高速無線充電認証情報が受信された場合、前記充電器の電圧及び電流の能力情報に基づいて、前記高速無線充電認証情報に対応する確認情報を決定するステップと、
前記無線充電受信側に前記確認情報を送信するステップと、
前記無線充電受信側が前記確認情報に応答して送信した充電請求が受信された場合、前記充電器に前記充電請求に対応する電圧と電流を請求するステップと、を含む。
【０００６】
第１の態様の無線充電方法の一つの可能な実現形態において、無線充電受信側からの高速無線充電認証情報が受信された場合、前記充電器の電圧及び電流の能力情報に基づいて、前記高速無線充電認証情報に対応する確認情報を決定するステップは、
無線充電受信側からの高速無線充電認証情報が受信された場合、前記高速無線充電認証情報を復調するステップと、
前記高速無線充電認証情報が正しく復調され、且つ前記充電器の電圧及び電流の能力情報に基づいて前記充電器が高速無線充電条件を満たすことが決定された場合、前記高速無線充電認証情報に対応する確認情報が高速無線充電確認情報であることを決定するステップと、
前記高速無線充電認証情報が正しく復調され、且つ前記充電器の電圧及び電流の能力情報に基づいて前記充電器が高速無線充電条件を満たさないことが決定された場合に、前記高速無線充電認証情報に対応する確認情報が普通の無線充電確認情報であることを決定するステップと、を含む。
【０００７】
第１の態様の無線充電方法の一つの可能な実現形態において、前記充電器の電圧及び電流の能力情報を取得するステップの後に、前記方法は、
前記充電器に第１の電圧を請求するステップ、をさらに含む。
【０００８】
本開示の実施例の第２の態様によれば、無線充電受信側に応用される無線充電方法を提供し、前記方法は、
電源管理モジュールからの高速無線充電認証情報を受信した場合、無線充電送信側に前記高速無線充電認証情報を転送するステップと、
前記無線充電送信側が前記高速無線充電認証情報に応答して送信した確認情報が受信された場合、前記電源管理モジュールに前記確認情報を転送するステップと、
前記電源管理モジュールが前記確認情報に応答して送信した充電請求が受信された場合、前記無線充電送信側に前記充電請求を転送するステップと、を含む。
【０００９】
第２の態様の無線充電方法の一つの可能な実現形態において、前記確認情報が高速無線充電確認情報である場合、前記充電請求は高速無線充電請求であり、
前記確認情報が普通の無線充電確認情報である場合、前記充電請求は普通の無線充電請求である。
【００１０】
第２の態様の無線充電方法の一つの可能な実現形態において、前記方法は、
前記無線充電送信側との接続が確立されたことを検出した場合、前記電源管理モジュールに第１の電圧を出力するステップ、をさらに含む。
【００１１】
本開示の実施例の第３の態様によれば、電源管理モジュールに応用される無線充電方法を提供し、前記方法は、
第１の電圧の入力が検出された場合、無線充電受信側に高速無線充電認証情報を送信するステップと、
前記無線充電受信側が前記高速無線充電認証情報に応答して送信した確認情報が受信された場合、前記確認情報に基づいて充電請求を決定するステップと、
前記無線充電受信側に前記充電請求を送信するステップと、
前記充電請求及び充電効率に基づいて、電源管理モジュールの入力電流を設定するステップと、を含む。
【００１２】
第３の態様の無線充電方法の一つの可能な実現形態において、前記無線充電受信側が前記高速無線充電認証情報に応答して送信した確認情報が受信された場合、前記確認情報に基づいて充電請求を決定するステップは、
前記高速無線充電認証情報が送信された後の第１の時間以内に前記無線充電受信側が前記高速無線充電認証情報に応答して送信した確認情報が受信された場合、前記確認情報に基づいて充電請求を決定するステップ、を含む。
【００１３】
第３の態様の無線充電方法の一つの可能な実現形態において、前記確認情報に基づいて充電請求を決定するステップは、
前記確認情報が高速無線充電確認情報である場合、前記充電請求が高速無線充電請求であることを決定するステップと、
前記確認情報が普通の無線充電確認情報である場合、前記充電請求が普通の無線充電請求であることを決定するステップと、を含む。
【００１４】
第３の態様の無線充電方法の一つの可能な実現形態において、無線充電受信側に高速無線充電認証情報を送信した後に、前記方法は、
前記高速無線充電認証情報が送信された後の第１の時間以内に前記無線充電受信側が前記高速無線充電認証情報に応答して送信した確認情報が受信されなかった場合に、前記充電請求が普通の無線充電請求であることを決定するステップ、をさらに含む。
【００１５】
本開示の実施例の第４の態様によれば、無線充電送信側を提供し、前記送信側は、
充電器との接続が確立されたことを検出した場合、前記充電器の電圧及び電流の能力情報を取得するための取得モジュールと、
無線充電受信側からの高速無線充電認証情報が受信された場合、前記充電器の電圧及び電流の能力情報に基づいて、前記高速無線充電認証情報に対応する確認情報を決定するための第１の決定モジュールと、
前記無線充電受信側に前記確認情報を送信するための第１の送信モジュールと、
前記無線充電受信側が前記確認情報に応答して送信した充電請求が受信された場合、前記充電器に前記充電請求に対応する電圧と電流を請求するための第１の請求モジュールと、を備える。
【００１６】
上記の無線充電送信側の一つの可能な実現形態において、前記第１の決定モジュールは、
無線充電受信側からの高速無線充電認証情報が受信された場合、前記高速無線充電認証情報を復調するための復調サブモジュールと、
前記高速無線充電認証情報が正しく復調され、且つ前記充電器の電圧及び電流の能力情報に基づいて前記充電器が高速無線充電条件を満たすことが決定された場合、前記高速無線充電認証情報に対応する確認情報が高速無線充電確認情報であることを決定するための第１の決定サブモジュールと、
前記高速無線充電認証情報が正しく復調され、且つ前記充電器の電圧及び電流の能力情報に基づいて前記充電器が高速無線充電条件を満たさないことが決定された場合に、前記高速無線充電認証情報に対応する確認情報が普通の無線充電確認情報であることを決定するための第２の決定サブモジュールと、を備える。
【００１７】
上記の無線充電送信側の一つの可能な実現形態において、前記無線充電送信側は、
前記充電器に第１の電圧を請求するための第２の請求モジュール、をさらに備える。
【００１８】
本開示の実施例の第５の態様によれば、無線充電受信側を提供し、前記受信側は、
電源管理モジュールからの高速無線充電認証情報が受信された場合、無線充電送信側に前記高速無線充電認証情報を転送するための第１の転送モジュールと、
前記無線充電送信側が前記高速無線充電認証情報に応答して送信した確認情報が受信された場合、前記電源管理モジュールに前記確認情報を転送するための第２の転送モジュールと、
前記電源管理モジュールが前記確認情報に応答して送信した充電請求が受信された場合、前記無線充電送信側に前記充電請求を転送するための第３の転送モジュールと、を備える。
【００１９】
上記の無線充電受信側の一つの可能な実現形態において、前記確認情報が高速無線充電確認情報である場合、前記充電請求は高速無線充電請求であり、
前記確認情報が普通の無線充電確認情報である場合、前記充電請求は普通の無線充電請求である。
【００２０】
上記の無線充電受信側の一つの可能な実現形態において、前記無線充電受信側は、
前記無線充電送信側との接続が確立されたことを検出した場合、前記電源管理モジュールに第１の電圧を出力するための出力モジュール、をさらに備える。
【００２１】
本開示の実施例の第６の態様によれば、電源管理モジュールを提供し、前記モジュールは、
第１の電圧の入力が検出された場合、無線充電受信側に高速無線充電認証情報を送信するための第２の送信モジュールと、
前記無線充電受信側が前記高速無線充電認証情報に応答して送信した確認情報が受信された場合、前記確認情報に基づいて充電請求を決定するための第２の決定モジュールと、
前記無線充電受信側に前記充電請求を送信するための第３の送信モジュールと、
前記充電請求及び充電効率に基づいて、管理モジュールの入力電流を設定するための設定モジュールと、を備える。
【００２２】
上記の電源管理モジュールの一つの可能な実現形態において、前記第２の決定モジュールは、
前記高速無線充電認証情報が送信された後の第１の時間以内に前記無線充電受信側が前記高速無線充電認証情報に応答して送信した確認情報が受信された場合、前記確認情報に基づいて充電請求を決定するために用いられる。
【００２３】
上記の電源管理モジュールの一つの可能な実現形態において、前記第２の決定モジュールは、
前記確認情報が高速無線充電確認情報である場合、前記充電請求が高速無線充電請求であることを決定するための第３の決定サブモジュールと、
前記確認情報が普通の無線充電確認情報である場合、前記充電請求が普通の無線充電請求であることを決定するための第４の決定サブモジュール、を備える。
【００２４】
上記の電源管理モジュールの一つの可能な実現形態において、前記電源管理モジュールは、
前記高速無線充電認証情報が送信された後の第１の時間以内に前記無線充電受信側が前記高速無線充電認証情報に応答して送信した確認情報が受信されなかった場合に、前記充電請求が普通の無線充電請求であることを決定するための第３の決定モジュール、をさらに備える。
【００２５】
本開示の実施例の第７の態様によれば、無線充電送信側を提供し、前記無線充電送信側は、
プロセッサーと、
プロセッサーで実行可能な命令を記憶するためのメモリと、を備え、
前記プロセッサーは、第１の態様の無線充電方法のステップを実行するように構成される。
【００２６】
本開示の実施例の第８の態様によれば、無線充電受信側を提供し、前記無線充電受信側は、
プロセッサーと、
プロセッサーで実行可能な命令を記憶するためのメモリと、を備え、
前記プロセッサーは、第２の態様の無線充電方法のステップを実行するように構成される。
【００２７】
本開示の実施例の第９の態様によれば、電源管理モジュールを提供し、前記電源管理モジュールは、
プロセッサーと、
プロセッサーで実行可能な命令を記憶するためのメモリと、を備え、
前記プロセッサーは、第３の態様の無線充電方法のステップを実行するように構成される。
【００２８】
本開示の実施例の第１０の態様によれば、コンピュータプログラムが記憶されたコンピュータ読み取り可能な記録媒体が提供され、前記コンピュータプログラムがプロセッサーにより実行される場合、第１の態様に係る無線充電方法のステップが実現される。
【００２９】
本開示の実施例の第１１の態様によれば、コンピュータプログラムが記憶されたコンピュータ読み取り可能な記録媒体が提供され、前記コンピュータプログラムがプロセッサーにより実行される場合、第２の態様に係る無線充電方法のステップが実現される。
【００３０】
本開示の実施例の第１２の態様によれば、コンピュータプログラムが記憶されたコンピュータ読み取り可能な記録媒体が提供され、前記コンピュータプログラムがプロセッサーにより実行される場合、第３の態様に係る無線充電方法のステップが実現される。
【発明の効果】
【００３１】
本開示の実施例に提供された技術案によれば、以下のような作用効果を含むことができる。
【００３２】
本実施例によれば、無線充電送信側によって充電器との接続が確立されたことを検出した場合、充電器の電圧及び電流の能力情報を取得し、無線充電送信側によって無線充電受信側からの高速無線充電認証情報が受信された場合、充電器の電圧及び電流の能力情報に基づいて、高速無線充電認証情報に対応する確認情報を決定し、無線充電受信側に確認情報を送信し、且つ無線充電受信側が確認情報に応答して送信した充電請求を無線充電送信側によって受信した場合、充電器に充電請求に対応する電圧と電流を請求し、これにより、無線充電のフローが最適化され、無線充電の柔軟性を向上させた。
【００３３】
上述した一般的な記述および後続の詳細な記述は、単に例示的および解釈的なものであり、本開示を制限するものでないことは、理解されるべきである。
【図面の簡単な説明】
【００３４】
ここでの図面は、明細書に組み入れて本明細書の一部分を構成し、本開示に適した実施例を例示し、且つ明細書とともに本開示の原理を解釈するために用いられる。
【００３５】
【図１】一例示的な実施例に係る無線充電システムを示すフローチャートである。
【図２】一例示的な実施例に係る無線充電方法を示すフローチャートである。
【図３】他の例示的な実施例に係る無線充電方法を示すフローチャートである。
【図４】他の例示的な実施例に係る無線充電方法を示すフローチャートである。
【図５】一例示的な実施例に係る無線充電送信側を示すブロック図である。
【図６】一例示的な実施例の一つの例示に係る無線充電送信側を示すブロック図である。
【図７】一例示的な実施例に係る無線充電受信側を示すブロック図である。
【図８】一例示的な実施例の一つの例示に係る無線充電受信側を示すブロック図である。
【図９】一例示的な実施例に係る電源管理モジュールを示すブロック図である。
【図１０】一例示的な実施例の一つの例示に係る電源管理モジュールを示すブロック図である。
【発明を実施するための形態】
【００３６】
以下、例示的な実施例を詳しく説明し、その例示を図面に示す。以下の記述が図面に係る場合、別途にて示さない限り、異なる図面における同一符号は、同じ又は類似する要素を示す。以下の例示的な実施例に記述される実施形態は、本開示と一致する全ての実施形態を代表するとは限らない。逆に、それらは、添付の特許請求の範囲に記載されているように、本開示の一部の側面に一致する装置及び方法の例に過ぎない。
【００３７】
図１は一例示的な実施例に係る無線充電システムを示すフローチャートである。図１に示すように、当該無線充電システムは、充電器、無線充電送信側（Ｔｘ側）、無線充電受信側（Ｒｘ側）及び電源管理モジュールを含む。ここで、充電器はＵＳＢ  ＰＤプロトコルをサポートするＰＤ充電器であってもよい。充電器は、Ｃ ｔｏ Ｃケーブルを介して無線充電送信側に接続されてもよい。無線充電送信側はインバータ回路、通信と制御回路及びＴｘコイルを含んでもよい。ここで、インバータ回路はハーフブリッジインバータ回路又はブリッジインバータ回路であってもよい。インバータ回路は直流電を交流電に変換するために用いられる。通信と制御回路はインバータ回路を制御するために用いられ、さらに充電器とのＰＤ通信を完成するために用いられ、無線送信信号に対してＦＳＫ（Ｆｒｅｑｕｅｎｃｙ  Ｓｈｉｆｔ  Ｋｅｙｉｎｇ、周波数シフトキーイング）変調を行うために用いられ、Ｔｘコイル結合によって入られたＡＳＫ（Ａｍｐｌｉｔｕｄｅ  Ｓｈｉｆｔ  Ｋｅｙｉｎｇ、振幅シフトキーイング）信号に対して復調を行う。Ｔｘコイルは無線充電受信側のＲｘコイルに磁気誘導を発生し、無線信号を送受信するために用いられる。無線充電受信側はＲｘコイル、整流ブリッジ、ＬＤＯ（Ｌｏｗ  Ｄｒｏｐｏｕｔ  Ｒｅｇｕｌａｔｏｒ、低損失型リニアレギュレータ）及びコントローラーと通信回路を含んでもよい。ここで、ＲｘコイルはＴｘコイルと磁気誘導を発生し、無線信号を送受信するために用いられる。整流ブリッジは交流電を直流電に変換するために用いられる。ＬＤＯは安定的な電圧を出力するために用いられる。ＬＤＯの出力端が電源管理モジュールの無線入力チャンネルに接続される。コントローラーと通信回路は整流ブリッジを制御するために用いられ、無線送信信号に対してもＡＳＫ変調を行うために用いられ、且つＲｘコイル結合によって入られたＦＳＫ信号に対して復調を行うために用いられ、さらに電源管理モジュールとの通信を行うために用いられる。電源管理モジュールは無線充電受信側の無線入力を受信し、バッテリーに充電するために用いられ、さらに無線充電受信側にＩ２Ｃ（Ｉｎｔｅｒ−Ｉｎｔｅｇｒａｔｅｄ  Ｃｉｒｃｕｉｔ、内蔵集積回路）通信を行うために用いられる。電源管理モジュールは電源管理チップであってもよく、電源管理チップと周辺回路も含んでもよく、ここで限定されるものではない。以下には当該無線充電システムの無線充電方法について詳細に説明し、ここでは省略する。
【００３８】
図２は一例示的な実施例に係る無線充電方法を示すフローチャートである。当該方法は無線充電送信側に応用される。図２に示すように、当該方法はステップＳ２１〜ステップＳ２４を含む。
【００３９】
ステップＳ２１において、充電器との接続が確立されたことを検出した場合、充電器の電圧及び電流の能力情報を取得する。
【００４０】
その中で、充電器はＰＤ充電器であってもよい。無線充電送信側がＴｙｐｅ  Ｃケーブルによって充電器に接続されてもよい。
【００４１】
本実施例において、無線充電送信側と充電器との接続が確立された後に、充電器は無線充電送信側に充電器の電圧及び電流の能力（Ｓｏｕｒｃｅ  Ｃａｐａｂｉｌｉｔｙ）情報を送信することができ、無線充電送信側は充電器からの当該充電器の電圧及び電流の能力情報を受信することができる。その中で、電圧及び電流の能力情報は固定のＰＤＯ（Ｐｏｗｅｒ  Ｄａｔａ  Ｏｂｊｅｃｔ、電力供給データオブジェクト）情報とＡＰＤＯ（Ａｕｇｍｅｎｔｅｄ  Ｐｏｗｅｒ  Ｄａｔａ  Ｏｂｊｅｃｔ、拡張電力供給データオブジェクト）情報を含んでもよい。例えば、固定のＰＤＯ情報は５Ｖ／３Ａ、９Ｖ／２Ａ、１２Ｖ／１．５Ａなどであってもよい。ＡＰＤＯ情報は、例えば３−５．９Ｖ／３Ａなどのプログラム可能な電圧電流情報を代表することができる。
【００４２】
一つの可能な実現形態において、無線充電送信側は充電器の電圧及び電流の能力情報を取得した後に、当該充電器の電圧及び電流の能力情報を記録することができる。
【００４３】
本実施例において、無線充電送信側は充電器の電圧及び電流の能力情報に基づいて、当該充電器に備えられた電圧及び電流能力を決定することができる。例えば、無線充電送信側は充電器の電圧及び電流の能力情報、及び高速無線充電条件に対応する電圧及び電流の需要に基づいて、当該充電器が高速無線充電条件を満たしているか否かを決定することができる。充電器が高速無線充電条件を満たす場合に、当該充電器が高速無線充電をサポートすることが示し、充電器が高速無線充電条件を満たさない場合に、当該充電器が高速無線充電をサポートしないことが示す。
【００４４】
一つの可能な実現形態において、無線充電送信側は、受信した電圧及び電流の能力情報に応答して、充電器に当該電圧及び電流の能力情報に対応する受信確認情報を送信することができる。当該受信確認情報は、無線充電送信側が充電器の電圧及び電流の能力情報を成功的に受信されたことを表示するために用いられることができる。例えば、受信確認情報はＧｏｏｄＣＲＣ情報であってもよい。
【００４５】
一つの可能な実現形態において、充電器の電圧及び電流の能力情報を取得した後に、当該方法は、無線充電送信側が充電器に第１の電圧を請求するステップ、をさらに含む。例えば、第１の電圧は５Ｖの電圧であってもよい。
【００４６】
ステップＳ２２において、無線充電受信側からの高速無線充電認証情報が受信された場合、充電器の電圧及び電流の能力情報に基づいて、高速無線充電認証情報に対応する確認情報を決定する。
【００４７】
一つの可能な実現形態において、無線充電送信側はＴｘコイルによって無線充電受信側のＲｘコイルからの高速無線充電認証情報を受信することができる。Ｔｘコイルが受信された高速無線充電認証情報は、ＡＳＫを介して変調された高速無線充電認証情報である。無線充電送信側は、通信と制御回路モジュールによって当該ＡＳＫを介して変調された高速無線充電認証情報を復調することができる。
【００４８】
ここで、確認情報は、高速無線充電確認（ＦａＳｔ−ｃｈａｒｇｅ−ｉｄｅｎｔｉｆｉｃａｔｉｏｎ−ＡＣＫ）情報又は普通の無線充電確認（Ｎｏｒｍａｌ−ｃｈａｒｇｅ−ｉｄｅｎｔｉｆｉｃａｔｉｏｎ−ＡＣＫ）情報であってもよい。
【００４９】
一つの可能な実現形態において、無線充電受信側からの高速無線充電認証情報が受信された場合、充電器の電圧及び電流の能力情報に基づいて、高速無線充電認証情報に対応する確認情報を決定するステップは、無線充電受信側からの高速無線充電認証情報が受信された場合、高速無線充電認証情報を復調するステップと、
高速無線充電認証情報が正しく復調され、且つ充電器の電圧及び電流の能力情報に基づいて充電器が高速無線充電条件を満たすことが決定された場合、高速無線充電認証情報に対応する確認情報が高速無線充電確認情報であることを決定するステップと、
高速無線充電認証情報が正しく復調され、且つ充電器の電圧及び電流の能力情報に基づいて充電器が高速無線充電条件を満たさないことが決定された場合、高速無線充電認証情報に対応する確認情報が普通の無線充電確認情報であることを決定するステップと、を含む。
【００５０】
一つの可能な実現形態において、確認情報が高速無線充電確認情報である場合、確認情報は充電器の電圧及び電流の能力情報を含んでもよい。
【００５１】
ステップＳ２３において、無線充電受信側に確認情報を送信する。
【００５２】
ステップＳ２４において、無線充電受信側が確認情報に応答して送信した充電請求が受信された場合、充電請求に対応する電圧と電流を充電器に請求する。
【００５３】
ここで、充電請求が高速無線充電請求又は普通の無線充電請求であってもよい。充電請求が普通の無線充電請求である場合、無線充電システムは普通の無線充電モードに動作されることができ、普通の無線充電モードの充電電圧は５Ｖであってもよい。
【００５４】
例えば、充電請求が高速無線充電請求であり、充電請求に対応する電圧と電流が９Ｖ／２Ａである場合、無線充電送信側は充電器に９Ｖ／２Ａの電圧と電流を請求し、充電器が９Ｖ／２Ａの電圧と電流を出力するように指示する。充電器は無線充電送信側の充電請求に応答して、９Ｖ／２Ａの電圧と電流を出力する。無線充電送信側の入力電圧が調整された後に、それに相応して無線充電受信側に整流し出力された電圧が向上される。
【００５５】
一つの可能な実現形態において、無線充電送信側が高速無線充電認証情報を正しく復調できない場合に、無線充電送信側は無線充電受信側に確認情報を送信しない。
【００５６】
本実施例において、無線充電送信側は、充電器との接続が確立されたことを検出した場合、充電器の電圧及び電流の能力情報を取得し、無線充電受信側からの高速無線充電認証情報が受信された場合、充電器の電圧及び電流の能力情報に基づいて、高速無線充電認証情報に対応する確認情報を決定し、無線充電受信側に確認情報を送信し、且つ無線充電受信側が確認情報に応答して送信した充電請求が受信された場合、充電器に充電請求に対応する電圧と電流を請求し、これにより、無線充電のフローが最適化され、無線充電の柔軟性を向上させた。本実施例において、無線充電送信側はＰＤ充電器とＰＤ通信を行うことができ、また、無線充電送信側は電源管理モジュールの充電請求に基づいてＰＤ充電器とコミュニケーションすることができ、これによって移動端末と無線充電送信側との間にＰＤコミュニケーションをさせて電圧と電流をアップロードする操作が行われることで、充電電力を増大させる。
【００５７】
図３は他の例示的な実施例に係る無線充電方法を示すフローチャートである。当該方法は無線充電受信側に応用される。図３に示すように、当該方法はステップＳ３１〜ステップＳ３３を含む。
【００５８】
ステップＳ３１において、電源管理モジュールからの高速無線充電認証情報が受信された場合、無線充電送信側に高速無線充電認証情報を転送する。
【００５９】
一つの可能な実現形態において、無線充電受信側は、電源管理モジュールからの高速無線充電認証情報が受信された場合に、コントローラーと通信回路モジュールによって高速無線充電認証情報に対してＡＳＫ変調を行うことができ、Ｒｘコイルによって無線充電送信側のＴｘコイルに変調した後の高速無線充電認証情報を送信する。
【００６０】
ステップＳ３２において、無線充電受信側が高速無線充電認証情報に応答して送信した確認情報が受信された場合、電源管理モジュールに確認情報を転送する。
【００６１】
一つの可能な実現形態において、無線充電受信側は、無線充電送信側に高速無線充電認証情報を転送した後の第１の時間以内に無線充電送信側が高速無線充電認証情報に応答して送信した確認情報が受信された場合に、当該確認情報をＩ２Ｃにより電源管理モジュールへフィードバックすることができる。無線充電受信側は、無線充電送信側に高速無線充電認証情報を転送した後の第１の時間以内に高速無線充電認証情報に応答して無線充電送信側が送信した確認情報が受信されなかった場合に、無線充電送信側が高速無線充電をサポートしないことを決定することができる。
【００６２】
ステップＳ３３において、電源管理モジュールが確認情報に応答して送信した充電請求が受信された場合、無線充電送信側に充電請求を転送する。
【００６３】
一つの可能な実現形態において、確認情報が高速無線充電確認情報である場合、充電請求は高速無線充電請求であり、確認情報が普通の無線充電確認情報である場合、充電請求は普通の無線充電請求である。
【００６４】
一つの可能な実現形態において、当該方法は、無線充電送信側との接続が確立されたことを検出した場合、電源管理モジュールに第１の電圧を出力するステップ、をさらに含む。例えば、Ｒｘ側がＴｘ側に置かれた場合に、ＲｘコイルとＴｘコイルとの間での磁気誘導によって、無線充電受信側と無線充電送信側との接続が確立されたことを決定することができる。無線充電受信側は、整流された後に、電源管理モジュールの無線入力チャンネルに第１の電圧を出力することができる。ここで、第１の電圧が５Ｖであってもよい。
【００６５】
本実施例によれば、無線充電受信側は、電源管理モジュールからの高速無線充電認証情報が受信された場合、無線充電送信側に高速無線充電認証情報を転送し、また無線充電送信側が高速無線充電認証情報に応答して送信した確認情報が受信された場合、電源管理モジュールに確認情報を転送し、且つ電源管理モジュールが確認情報に応答して送信した充電請求が受信された場合、無線充電送信側に充電請求を転送し、これにより、無線充電のフローが最適化され、無線充電の柔軟性を向上させ、移動端末と無線充電送信側との間でＰＤコミュニケーションをさせて電圧と電流をアップロードする動作を行い、充電電力を増大させる。
【００６６】
図４は他の例示的な実施例に係る無線充電方法を示すフローチャートである。当該方法が電源管理モジュールに応用され、電源管理モジュールが移動端末に置かれることができる。図４に示すように、当該方法はステップＳ４１〜ステップＳ４４を含む。
【００６７】
ステップＳ４１において、第１の電圧の入力が検出された場合、無線充電受信側に高速無線充電認証情報を送信する。
【００６８】
本実施例において、電源管理モジュールは、無線入力チャンネルが第１の電圧を有することが検出された場合、高速無線充電認証のフローが起動されるように無線充電受信側に高速無線充電認証（ＦａＳｔ−ｃｈａｒｇｅ−ｉｄｅｎｔｉｆｉｃａｔｉｏｎ）情報を送信することができる。ここで、第１の電圧が５Ｖであってもよい。
【００６９】
一つの可能な実現形態において、電源管理モジュールは、Ｉ２Ｃを介して無線充電受信側と通信し、無線充電受信側に高速無線充電認証情報を送信することができる。
【００７０】
当該実施形態の一つの例示として、電源管理モジュールは、Ｉ２Ｃを介して無線充電受信側のコントローラーと通信回路モジュールと通信し、無線充電受信側のコントローラーと通信回路モジュールに高速無線充電認証情報を送信することができる。
【００７１】
ステップＳ４２において、無線充電受信側が高速無線充電認証情報に応答して送信した確認情報が受信された場合、確認情報に基づいて充電請求を決定する。
【００７２】
一つの可能な実現形態において、確認情報に基づいて充電請求を決定するステップは、確認情報が高速無線充電確認情報である場合、充電請求が高速無線充電請求であることを決定し、確認情報が普通の無線充電確認情報である場合、充電請求が普通の無線充電請求であることを決定する。当該実現形態において、電源管理モジュールによって受信された確認情報が高速無線充電確認情報である場合、確認情報に含まれた充電器の電圧及び電流の能力情報に基づいて、高速無線充電（ＦａＳｔ−ｃｈａｒｇｅ−ｏｎ）請求を決定することができる。ここで、高速無線充電請求は、例えば、充電に必要な電圧電流情報が９Ｖ／２Ａであるなどの、充電に必要な電圧電流情報を含む。電源管理モジュールが受信した確認情報が普通の無線充電確認情報である場合、充電請求が普通の無線充電（Ｎｏｒｍａｌ−ｃｈａｒｇｅ−ｏｎ）請求であることを決定することができる。
【００７３】
ステップＳ４３において、無線充電受信側に充電請求を送信する。
【００７４】
ステップＳ４４において、充電請求及び充電効率に基づいて、電源管理モジュールの入力電流を設定する。
【００７５】
例えば、充電請求に対応する電圧と電流は９Ｖ／２Ａである。電源管理モジュールは充電請求に対応する電流及び充電効率を基づいて、電源管理モジュールの無線入力の電流を１．５Ａに設定することができる。
【００７６】
一つの可能な実現形態において、無線充電受信側が高速無線充電認証情報に応答して送信した確認情報が受信された場合、確認情報に基づいて充電請求を決定するステップは、高速無線充電認証情報が送信された後の第１の時間以内に、無線充電受信側が高速無線充電認証情報に応答して送信した確認情報が受信された場合、確認情報に基づいて充電請求を決定するステップ、を含む。
【００７７】
一つの可能な実現形態において、無線充電受信側に高速無線充電認証情報を送信した後に、当該方法は、高速無線充電認証情報が送信された後の第１の時間以内に、無線充電受信側が高速無線充電認証情報に応答して送信した確認情報が受信されなかった場合に、充電請求が普通の無線充電請求であることを決定するステップ、をさらに含む。
【００７８】
この実施形態によれば、電力管理モジュールは、第１の電圧の入力が検出された場合、無線充電受信側に高速無線充電認証情報を送信し、無線充電受信側が高速無線充電認証情報に応答して送信した確認情報が受信された場合、確認情報に基づいて充電請求を決定し、無線充電受信側に充電請求を送信し、且つ充電請求及び充電効率に基づいて、電源管理モジュールの入力電流を設定し、これにより、無線充電のフローが最適化され、無線充電の柔軟性を向上させ、移動端末と無線充電送信側との間でＰＤコミュニケーションをさせて電圧と電流をアップロードする動作が行われ、充電電力を増大させる。
【００７９】
図５は一例示的な実施例に係る無線充電送信側を示すブロック図である。図５に示すように、当該無線充電送信側は、取得モジュール５１、第１の決定モジュール５２、第１の送信モジュール５３及び第１の請求モジュール５４を含む。
【００８０】
当該取得モジュール５１は、充電器との接続が確立されたことが検出された場合、充電器の電圧及び電流の能力情報を取得するように配置される。
【００８１】
当該第１の決定モジュール５２は、無線充電受信側からの高速無線充電認証情報が受信された場合、充電器の電圧及び電流の能力情報に基づいて、高速無線充電認証情報に対応する確認情報を決定するように配置される。
【００８２】
当該第１の送信モジュール５３は、無線充電受信側に確認情報を送信するように配置される。
【００８３】
当該第１の請求モジュール５４は、無線充電受信側が確認情報に応答して送信した充電請求が受信された場合、充電請求に対応する電圧と電流を充電器に請求するように配置される。
【００８４】
図６は一例示的な実施例の一つの例示に係る無線充電送信側を示すブロック図である。図６に示すように、一つの可能な実現形態において、第１の決定モジュール５２は、復調サブモジュール５２１、第１の決定サブモジュール５２２及び第２の決定サブモジュール５２３を含む。
【００８５】
当該復調サブモジュール５２１は、無線充電受信側からの高速無線充電認証情報が受信された場合、高速無線充電認証情報を復調するように配置される。
【００８６】
当該第１の決定サブモジュール５２２は、高速無線充電認証情報が正しく復調され、且つ充電器の電圧及び電流の能力情報に基づいて充電器が高速無線充電条件を満たすことが決定された場合に、高速無線充電認証情報に対応する確認情報が高速無線充電確認情報であることを決定するように配置される。
【００８７】
当該第２の決定サブモジュール５２３は、高速無線充電認証情報が正しく復調され、且つ充電器の電圧及び電流の能力情報に基づいて充電器が高速無線充電条件を満たさないことが決定された場合に、高速無線充電認証情報に対応する確認情報が普通の無線充電確認情報であることを決定するように配置される。
【００８８】
一つの可能な実現形態において、無線充電送信側は、第２の請求モジュール５５をさらに含む。
【００８９】
当該第２の請求モジュール５５は、充電器に第１の電圧を請求するように配置される。
【００９０】
上記実施例の無線充電送信側における各モジュールが動作を行う具体的な方法については、その方法に係る実施例で詳細に説明したため、ここでの詳細な説明は省略する。
【００９１】
この実施例によれば、無線充電送信側は、充電器との接続が確立されたことを検出した場合、充電器の電圧及び電流の能力情報を取得し、無線充電受信側からの高速無線充電認証情報が受信された場合、充電器の電圧及び電流の能力情報に基づいて、高速無線充電認証情報に対応する確認情報を決定し、無線充電受信側に確認情報を送信し、且つ無線充電受信側が確認情報に応答して送信した充電請求が受信された場合、充電請求に対応する電圧と電流を充電器に請求し、これにより、無線充電のフローが最適化され、無線充電の柔軟性を向上させた。本実施例において、無線充電送信側はＰＤ充電器とＰＤ通信を行うことができ、無線充電送信側は、電源管理モジュールの充電請求に基づいてＰＤ充電器とコミュニケーションすることもでき、移動端末と無線充電送信側との間でＰＤコミュニケーションをさせて電圧と電流をアップロードする動作が行われ、充電電力を増大させる。
【００９２】
図７は一例示的な実施例に係る無線充電受信側を示すブロック図である。図７に示すように、当該無線充電受信側は、第１の転送モジュール７１、第２の転送モジュール７２及び第３の転送モジュール７３を含む。
【００９３】
当該第１の転送モジュール７１は、電源管理モジュールからの高速無線充電認証情報が受信された場合、無線充電送信側に高速無線充電認証情報を転送するように配置される。
【００９４】
当該第２の転送モジュール７２は、無線充電送信側が高速無線充電認証情報に応答して送信した確認情報が受信された場合、電源管理モジュールに確認情報を転送するように配置される。
【００９５】
当該第３の転送モジュール７３は、電源管理モジュールが確認情報に応答して送信した充電請求が受信された場合、無線充電送信側に充電請求を転送するように配置される。
【００９６】
一つの可能な実現形態において、確認情報が高速無線充電確認情報である場合、充電請求は高速無線充電請求であり、確認情報が普通の無線充電確認情報である場合、充電請求は普通の無線充電請求である。
【００９７】
図８は一例示的な実施例の一つの例示に係る無線充電受信側を示すブロック図である。図８に示すように、無線充電受信側は出力モジュール７４をさらに含む。
【００９８】
当該出力モジュール７４は、無線充電送信側との接続が確立されたことを検出した場合、電源管理モジュールに第１の電圧を出力するように配置される。
【００９９】
上記の実施例における無線充電送信側に関して、ここで各モジュールが動作を行う具体的な方法については、その方法に関する実施例には詳細に説明したので、ここでの詳細な説明は省略する。
【０１００】
本実施例によれば、無線充電受信側は、電源管理モジュールからの高速無線充電認証情報が受信された場合、無線充電送信側に高速無線充電認証情報を転送し、無線充電送信側が高速無線充電認証情報に応答して送信した確認情報が受信された場合、電源管理モジュールに確認情報を転送し、且つ電源管理モジュールが確認情報に応答して送信した充電請求が受信された場合、無線充電送信側に充電請求を転送し、これにより、無線充電のフローが最適化され、無線充電の柔軟性を向上させ、移動端末と無線充電送信側との間でＰＤコミュニケーションをさせて電圧と電流をアップロードする動作を行うことで、充電電力を増大させる。
【０１０１】
図９は一例示的な実施例に係る電源管理モジュールを示すブロック図である。図９に示すように、当該電源管理モジュールは、第２の送信モジュール９１、第２の決定モジュール９２、第３の送信モジュール９３及び設定モジュール９４を含む。
【０１０２】
当該第２の送信モジュール９１は、第１の電圧の入力が検出された場合、無線充電受信側に高速無線充電認証情報を送信するように配置される。
【０１０３】
当該第２の決定モジュール９２は、無線充電受信側が高速無線充電認証情報に応答して送信した確認情報が受信された場合、確認情報に基づいて充電請求を決定するように配置される。
【０１０４】
当該第３の送信モジュール９３は、無線充電受信側に充電請求を送信するように配置される。
【０１０５】
当該設定モジュール９４は、前記充電請求及び充電効率に基づいて、電源管理モジュールの入力電流を設定するように配置される。
【０１０６】
一つの可能な実現形態において、第２の決定モジュール９２は、高速無線充電認証情報が送信された後の第１の時間以内に、無線充電受信側が高速無線充電認証情報に応答して送信した確認情報が受信された場合、確認情報に基づいて充電請求を決定する。
【０１０７】
図１０は一例示的な実施例の一つの例示に係る電源管理モジュールを示すブロック図である。図１０に示すように、一つの可能な実現形態において、第２の決定モジュール９２は、第３の決定サブモジュール９２１及び第４の決定サブモジュール９２２を含む。
【０１０８】
当該第３の決定サブモジュール９２１は、確認情報が高速無線充電確認情報である場合、充電請求が高速無線充電請求であることを決定するように配置され、
当該第４の決定サブモジュール９２２は、確認情報が普通の無線充電確認情報である場合、充電請求が普通の無線充電請求であることを決定するように配置される。
【０１０９】
一つの可能な実現形態において、電源管理モジュールは、第３の決定モジュール９５をさらに含む。
【０１１０】
当該第３の決定モジュール９５は、高速無線充電認証情報が送信された後の第１の時間以内に、無線充電受信側が高速無線充電認証情報に応答して送信した確認情報が受信されなかった場合に、充電請求が普通の無線充電請求であることを決定するように配置される。
【０１１１】
上記実施例の無線充電送信側における各モジュールが動作を行う具体的な方法については、その方法に係る実施例において詳細に説明したので、ここでの詳細な説明は省略する。
【０１１２】
本実施例によれば、電力管理モジュールは、第１の電圧の入力が検出された場合、無線充電受信側に高速無線充電認証情報を送信し、無線充電受信側が高速無線充電認証情報に応答して送信した確認情報が受信された場合、確認情報に基づいて充電請求を決定し、無線充電受信側に充電請求を送信し、且つ充電請求及び充電効率に基づいて、電源管理モジュールの入力電流を設定し、これにより、無線充電のフローが最適化され、無線充電の柔軟性を向上させ、移動端末と無線充電送信側との間でＰＤコミュニケーションをさせて電圧と電流をアップロードする動作を行うことで、充電電力を増大させる。
【０１１３】
一つの例示的な実施例において、コンピュータプログラムが記憶されたコンピュータ読み取り可能な記録媒体をさらに提供し、前記コンピュータプログラムがプロセッサーによって実行される場合、上記の無線充電方法を実現することができる。ここで、コンピュータ読み取り可能な記録媒体は、ランダムアクセスメモリ（ＲＡＭ）、読み出し専用メモリ（ＲＯＭ）、電気的消去可能プログラマブル読み取り専用メモリ（ＥＥＰＲＯＭ）、フラッシュメモリ或いは他のメモリ技術、ＣＤＲＯＭ、デジタル多用途ディスク或いは他の光学メモリやホログラフィックメモリ、磁気カセット（ｍａｇｎｅｔｉｃ  ｃａＳＳｅｔｔｅＳ）、磁気テープ、磁気ディスク記憶装置、又は他のデータ処理システムや演算装置がアクセス可能であり且つ情報を符号化するために用いられる磁気記憶装置を含んでもよい。
【０１１４】
当業者は、明細書に対する理解、及び明細書に記載された発明に対する実施を介して、本開示の他の実施形態を容易に取得できる。本開示は、本開示に対する任意の変形、用途、又は適応的な変化を含み、このような変形、用途、又は適応的な変化は、本開示の一般的な原理に従い、本開示では開示していない本技術分野の公知知識、又は通常の技術手段を含む。明細書及び実施例は、単に例示的なものであって、本開示の本当の範囲と主旨は、以下の特許請求の範囲によって示される。
【０１１５】
本開示は、上記で記述され、図面で図示した特定の構成に限定されず、その範囲を離脱しない状況で、様々な修正や変更を実施してもよい。本開示の範囲は、添付される特許請求の範囲のみにより限定される。
【図１】
2019528659.tif 000003
【図２】
2019528659.tif 000004
【図３】
2019528659.tif 000005
【図４】
2019528659.tif 000006
【図５】
2019528659.tif 000007
【図６】
2019528659.tif 000008
【図７】
2019528659.tif 000009
【図８】
2019528659.tif 000010
【図９】
2019528659.tif 000011
【図１０】
2019528659.tif 000012
【手続補正書】
【提出日】平成30年3月16日(2018.3.16)
【手続補正２】
【補正対象書類名】明細書
【補正対象項目名】０００１
【補正方法】変更
【補正の内容】
【０００１】
本開示は、充電技術分野に関し、特に無線充電方法、送信側、受信側、電源管理モジュール、プログラム及び記録媒体に関する。
【手続補正３】
【補正対象書類名】明細書
【補正対象項目名】０００４
【補正方法】変更
【補正の内容】
【０００４】
本開示は、従来技術に存在する問題を解決するために、無線充電方法、送信側、受信側、電源管理モジュール、プログラム及び記録媒体を提供する。
【手続補正４】
【補正対象書類名】明細書
【補正対象項目名】００３０
【補正方法】変更
【補正の内容】
【００３０】
本開示の実施例の第１２の態様によれば、コンピュータプログラムが記憶されたコンピュータ読み取り可能な記録媒体が提供され、前記コンピュータプログラムがプロセッサーにより実行される場合、第３の態様に係る無線充電方法のステップが実現される。
本発明の第１３の態様によれば、プログラムが提供され、プログラムは、プロセッサーに実行されることにより、上記無線充電方法を実現する。
本発明の第１４の態様によれば、記録媒体が提供され、記録媒体は、上記プログラムが記録される。
【手続補正５】
【補正対象書類名】特許請求の範囲
【補正対象項目名】全文
【補正方法】変更
【補正の内容】
【特許請求の範囲】
【請求項１】
無線充電送信側に応用される無線充電方法であって、
充電器との接続が確立されたことを検出した場合、前記充電器の電圧及び電流の能力情報を取得するステップと、
無線充電受信側からの高速無線充電認証情報が受信された場合、前記充電器の電圧及び電流の能力情報に基づいて、前記高速無線充電認証情報に対応する確認情報を決定するステップと、
前記無線充電受信側に前記確認情報を送信するステップと、
前記無線充電受信側が前記確認情報に応答して送信した充電請求が受信された場合、前記充電請求に対応する電圧と電流を前記充電器に請求するステップと、を含む
ことを特徴とする無線充電方法。
【請求項２】
無線充電受信側からの高速無線充電認証情報が受信された場合、前記充電器の電圧及び電流の能力情報に基づいて、前記高速無線充電認証情報に対応する確認情報を決定するステップは、
無線充電受信側からの高速無線充電認証情報が受信された場合、前記高速無線充電認証情報を復調するステップと、
前記高速無線充電認証情報が正しく復調され、且つ前記充電器の電圧及び電流の能力情報に基づいて前記充電器が高速無線充電条件を満たすことが決定された場合、前記高速無線充電認証情報に対応する確認情報が高速無線充電確認情報であることを決定するステップと、
前記高速無線充電認証情報が正しく復調され、且つ前記充電器の電圧及び電流の能力情報に基づいて前記充電器が高速無線充電条件を満たさないことが決定された場合、前記高速無線充電認証情報に対応する確認情報が普通の無線充電確認情報であることを決定するステップと、を含む
ことを特徴とする請求項１に記載の無線充電方法。
【請求項３】
前記充電器の電圧及び電流の能力情報を取得するステップの後に、
前記充電器に第１の電圧を請求するステップ、をさらに含む
ことを特徴とする請求項１に記載の無線充電方法。
【請求項４】
無線充電受信側に応用される無線充電方法であって、
電源管理モジュールからの高速無線充電認証情報が受信された場合、無線充電送信側に前記高速無線充電認証情報を転送するステップと、
前記無線充電送信側が前記高速無線充電認証情報に応答して送信した確認情報が受信された場合、前記電源管理モジュールに前記確認情報を転送するステップと、
前記電源管理モジュールが前記確認情報に応答して送信した充電請求が受信された場合、前記無線充電送信側に前記充電請求を転送するステップと、を含む
ことを特徴とする無線充電方法。
【請求項５】
前記確認情報が高速無線充電確認情報である場合、前記充電請求は高速無線充電請求であり、
前記確認情報が普通の無線充電確認情報である場合、前記充電請求は普通の無線充電請求である
ことを特徴とする請求項４に記載の無線充電方法。
【請求項６】
前記無線充電送信側との接続が確立されたことを検出した場合、前記電源管理モジューに第１の電圧を出力するステップ、をさらに含む
ことを特徴とする請求項４に記載の無線充電方法。
【請求項７】
電源管理モジュールに応用される無線充電方法であって、
第１の電圧の入力が検出された場合、無線充電受信側に高速無線充電認証情報を送信するステップと、
前記無線充電受信側が前記高速無線充電認証情報に応答して送信した確認情報が受信された場合、前記確認情報に基づいて充電請求を決定するステップと、
前記無線充電受信側に前記充電請求を送信するステップと、
前記充電請求及び充電効率に基づいて、電源管理モジュールの入力電流を設定するステップと、を含む
ことを特徴とする無線充電方法。
【請求項８】
前記無線充電受信側が前記高速無線充電認証情報に応答して送信した確認情報が受信された場合、前記確認情報に基づいて充電請求を決定するステップは、
前記高速無線充電認証情報が送信された後の第１の時間以内に前記無線充電受信側が前記高速無線充電認証情報に応答して送信した確認情報が受信された場合、前記確認情報に基づいて充電請求を決定するステップ、を含む
ことを特徴とする請求項７に記載の無線充電方法。
【請求項９】
前記確認情報に基づいて充電請求を決定するステップは、
前記確認情報が高速無線充電確認情報である場合、前記充電請求が高速無線充電請求であることを決定するステップと、
前記確認情報が普通の無線充電確認情報である場合、前記充電請求が普通の無線充電請求であることを決定するステップと、を含む
ことを特徴とする請求項８に記載の無線充電方法。
【請求項１０】
無線充電受信側に高速無線充電認証情報を送信するステップの後に、
前記高速無線充電認証情報が送信された後の第１の時間以内に前記無線充電受信側が前記高速無線充電認証情報に応答して送信した確認情報が受信されなかった場合に、前記充電請求が普通の無線充電請求であることを決定するステップ、をさらに含む
ことを特徴とする請求項８又は９に記載の無線充電方法。
【請求項１１】
充電器との接続が確立されたことを検出した場合、前記充電器の電圧及び電流の能力情報を取得するための取得モジュールと、
無線充電受信側からの高速無線充電認証情報が受信された場合、前記充電器の電圧及び電流の能力情報を基づいて、前記高速無線充電認証情報に対応する確認情報を決定するための第１の決定モジュールと、
前記無線充電受信側に前記確認情報を送信するための第１の送信モジュールと、
前記確認情報に応答して前記無線充電受信側によって送信された充電請求が受信された場合、前記充電請求に対応する電圧と電流を前記充電器に請求するための第１の請求モジュールと、を備える
ことを特徴とする無線充電送信側。
【請求項１２】
前記第１の決定モジュールは、
無線充電受信側からの高速無線充電認証情報が受信された場合、前記高速無線充電認証情報を復調するための復調サブモジュールと、
前記高速無線充電認証情報が正しく復調され、且つ前記充電器の電圧及び電流の能力情報に基づいて前記充電器が高速無線充電条件を満たすことが決定された場合、前記高速無線充電認証情報に対応する確認情報が高速無線充電確認情報であることを決定するための第１の決定サブモジュールと、
前記高速無線充電認証情報が正しく復調され、且つ前記充電器の電圧及び電流の能力情報に基づいて前記充電器が高速無線充電条件を満たさないことが決定された場合、前記高速無線充電認証情報に対応する確認情報が普通の無線充電確認情報であることを決定するための第２の決定サブモジュールと、を備える
ことを特徴とする請求項１１に記載の無線充電送信側。
【請求項１３】
前記無線充電送信側は、
第１の電圧を前記充電器に請求するための第２の請求モジュール、をさらに備える
ことを特徴とする請求項１１に記載の無線充電送信側。
【請求項１４】
電源管理モジュールからの高速無線充電認証情報が受信された場合、無線充電送信側に前記高速無線充電認証情報を転送するための第１の転送モジュールと、
前記無線充電送信側が前記高速無線充電認証情報に応答して送信した確認情報が受信された場合、前記電源管理モジュールに前記確認情報を転送するための第２の転送モジュールと、
前記電源管理モジュールが前記確認情報に応答して送信した充電請求が受信された場合、前記無線充電送信側に前記充電請求を転送するための第３の転送モジュールと、を備える
ことを特徴とする無線充電受信側。
【請求項１５】
前記確認情報が高速無線充電確認情報である場合、前記充電請求は高速無線充電請求であり、
前記確認情報が普通の無線充電確認情報である場合、前記充電請求は普通の無線充電請求である
ことを特徴とする請求項１４に記載の無線充電受信側。
【請求項１６】
前記無線充電受信側は、
前記無線充電送信側との接続が確立されたことを検出した場合、前記電源管理モジュールに第１の電圧を出力するための出力モジュール、をさらに備える
ことを特徴とする請求項１４に記載の無線充電受信側。
【請求項１７】
第１の電圧入力が検出された場合、無線充電受信側に高速無線充電認証情報を送信するための第２の送信モジュールと、
前記無線充電受信側が前記高速無線充電認証情報に応答して送信した確認情報が受信された場合、前記確認情報に基づいて充電請求を決定するための第２の決定モジュールと、
前記無線充電受信側に前記充電請求を送信するための第３の送信モジュールと、
前記充電請求及び充電効率に基づいて、電源管理モジュールの入力電流を設定するための設定モジュールと、を備える
ことを特徴とする電源管理モジュール。
【請求項１８】
前記第２の決定モジュールは、
前記高速無線充電認証情報が送信された後の第１の時間以内に前記無線充電受信側が前記高速無線充電認証情報に応答して送信した確認情報が受信された場合、前記確認情報に基づいて充電請求を決定するために用いられる
ことを特徴とする請求項１７に記載の電源管理モジュール。
【請求項１９】
前記第２の決定モジュールは、
前記確認情報が高速無線充電確認情報である場合、前記充電請求が高速無線充電請求であることを決定するための第３の決定サブモジュールと、
前記確認情報が普通の無線充電確認情報である場合、前記充電請求が普通の無線充電請求であることを決定するための第４の決定サブモジュールと、を備える
ことを特徴とする請求項１８に記載の電源管理モジュール。
【請求項２０】
前記電源管理モジュールは、
前記高速無線充電認証情報が送信された後の第１の時間以内に前記無線充電受信側が前記高速無線充電認証情報に応答して送信した確認情報が受信されなかった場合に、前記充電請求が普通の無線充電請求であることを決定するための第３の決定モジュール、をさらに備える
ことを特徴とする請求項１８又は１９に記載の電源管理モジュール。
【請求項２１】
プロセッサーと、
プロセッサーで実行可能な指令を記憶するためのメモリを備え、
前記プロセッサーは、
請求項１〜３のいずれか１項に記載の方法を実行するように構成される
ことを特徴とする無線充電送信側。
【請求項２２】
プロセッサーと、
プロセッサーで実行可能な指令を記憶するためのメモリを備え、
前記プロセッサーは、
請求項４〜６のいずれか１項に記載の方法を実行するように構成される
ことを特徴とする無線充電受信側。
【請求項２３】
プロセッサーと、
プロセッサーで実行可能な指令を記憶するためのメモリを備え、
前記プロセッサーは、
請求項７〜１０のいずれか１項に記載の方法を実行するように構成される
ことを特徴とする電源管理モジュール。
【請求項２４】
コンピュータプログラムが記憶されたコンピュータ読み取り可能な記録媒体であって、
前記コンピュータプログラムがプロセッサーによって実行される場合、請求項１〜３のいずれか１項に記載の方法のステップが実行される
ことを特徴とするコンピュータ読み取り可能な記録媒体。
【請求項２５】
コンピュータプログラムが記憶されたコンピュータ読み取り可能な記録媒体であって、
前記コンピュータプログラムがプロセッサーによって実行される場合、請求項４〜６のいずれか１項に記載の方法のステップが実行される
ことを特徴とするコンピュータ読み取り可能な記録媒体。
【請求項２６】
コンピュータプログラムが記憶されたコンピュータ読み取り可能な記録媒体であって、
前記コンピュータプログラムがプロセッサーによって実行される場合、請求項７〜１０のいずれか１項に記載の方法のステップが実行される
ことを特徴とするコンピュータ読み取り可能な記録媒体。
【請求項２７】
プロセッサーに実行されることにより、請求項１〜１０のいずれか１項に記載の無線充電方法を実現する、プログラム。
【請求項２８】
請求項２７に記載のプログラムが記録された記録媒体。
【国際調査報告】
2019528659.tif 000013
2019528659.tif 000014
2019528659.tif 000015
2019528659.tif 000016